(57)【特許請求の範囲】
【請求項１】
排気されたガラス製外囲器と、該外囲器の一端に配置された表示スクリーンと、前記外囲器の他端に配置され、前記スクリーンのビーム到達位置にラスタを形成する電子ビームを発生する電子銃構体とを含む陰極線管と、
前記電子ビームのビーム通過路中に偏向磁界を発生させるために、前記陰極線管上に配置された偏向巻線中に偏向電流を発生させる偏向電流発生手段と、
前記偏向電流発生手段に結合されていて、前記偏向電流に関連する振幅をもった周期性パラボラ信号を発生する手段と、
キャパシタと、
前記偏向電流発生手段の正規の動作期間において、前記パラボラ信号に応答して、前記パラボラ信号と同じ周期をもった周期性電流パルスで前記キャパシタを充電し、前記周期性電流パルス相互間で前記キャパシタを放電させて、前記キャパシタ中にピークレベルが前記偏向電流の振幅とは無関係に一定レベルとなるような周期性電圧を発生させる手段と、
前記キャパシタ中の電圧に応答して、走査が消失したときビーム電流を消去するために前記陰極線管の電極に供給される出力信号を発生する比較器と、
を具えたビデオ表示装置。
【請求項２】
排気されたガラス製外囲器と、該外囲器の一端に配置された表示スクリーンと、前記外囲器の他端に配置され、前記スクリーンのビーム到達位置にラスタを形成する電子ビームを発生する電子銃構体とを含む陰極線管と、
前記電子ビームのビーム通過路中に偏向磁界を発生させるために、前記陰極線管上に配置された偏向巻線中に偏向電流を発生させる偏向電流発生手段と、
前記偏向電流発生手段が結合されていて、前記偏向電流に関連する振幅をもったパラボラ信号を発生する手段と、
キャパシタと、
正規の動作期間において前記キャパシタ中にピークレベルが前記偏向電流の振幅とは無関係に一定のレベルとなるような周期性電圧を発生させるために、前記パラボラ信号に応答して導通し、前記キャパシタ中に周期性電流パルスを発生させて前記キャパシタを充電する手段と、前記キャパシタに結合されていて前記周期性電流パルス相互間で前記キャパシタを放電させる手段と、
を具え、
さらに、前記キャパシタ中の電圧に応答して、走査が消失したときビーム電流を消去するために前記陰極線管の電極に供給される出力信号を発生させる比較器と、
を具えた、ビデオ表示装置。
【請求項３】
蛍光体スクリーンと、該スクリーンに向けて電子ビームを放射する電子銃構体と、前記スクリーン上で電子ビームの水平走査、垂直走査の一方を行わせる偏向巻線とを有する陰極線管と、
前記偏向巻線が結合されていて、走査周波数に関連する周波数のパラボラ信号を発生する手段と、
前記パラボラ信号に応答して該パラボラ信号の振幅とは無関係な実質的に一定のピーク振幅を有し、前記走査周波数に関連する周波数の直流パルスを発生する直流パルス発生手段と、
前記直流パルス発生手段の出力に結合されたキャパシタと、
前記キャパシタに結合されていて、前記直流パルス相互間で前記キャパシタを放電させる手段と、
前記キャパシタに結合された信号入力を有し、この信号入力のレベルがある閾値レベルと交叉すると、前記電子ビームの消去を開始させるために前記陰極線管の電極に供給される出力信号を発生する比較器と、
を具えた、ビデオ表示装置。
【発明の詳細な説明】
【０００１】
【産業上の利用分野】
この発明はビデオ表示装置に関し、さらに詳しく云えば、陰極線管スクリーンの蛍光体が焼損する原因となる偏向消失を検出して、これに応答して動作する陰極線管保護回路に関する。
【０００２】
テレビジョン受像機のような投射型ビデオ表示装置は、通常、それぞれ赤、緑、青の映像を生成する３個の単色陰極線管を持っている。生成された３個の映像は、スクリーン上に投映される際に拡大され重ね合わされる。拡大され重ね合わされた最終的な映像が通常の室内照明状態の下で許容できるのに充分な輝度を持つためには、個々の陰極線管を高輝度レベルで、即ち、高電子ビーム電流密度で動作させることが望ましい。
【０００３】
しかし、電子ビーム電流密度を高くすると陰極線管スクリーン上の蛍光体が損傷する恐れがある。陰極線管の電子ビームのいずれか、あるいは全てについて、水平あるいは垂直偏向、即ち、水平あるいは垂直走査が消失または減少すると、１個あるいはそれ以上の陰極線管スクリーンの蛍光体の小さな領域に好ましくない電子ビームエネルギの集中が起きる。たとえ走査の消失或いは減少の持続時間が短くても、好ましくないエネルギの集中によって陰極線管スクリーンの蛍光体に回復不可能な損傷を与えることがある。特に水平あるいは垂直走査の消失が起きた時に問題は深刻である。走査が１点にまであるいは１本の線にまで減少すると（即ち、水平および／または垂直偏向が消失すると）、それによって損傷を受けた陰極線管スクリーンの蛍光体部分の光出力は永久に変化してしまう。
【０００４】
偏向は、電子ビームの経路を包囲するようにして設けられた電磁偏向ヨークに流れる走査周波数電流によって行われる。偏向消失は、例えば偏向ヨーク駆動回路の構成素子に欠陥がある場合あるいは駆動回路と偏向ヨークとの接続が開路してしまう場合など様々な場合に起こり得る。３個の陰極線管に対する３個の垂直偏向コイルは直列に接続出来るが、これらのコイルに垂直偏向電流を供給するには複数の接続線が使用されることがある。万一、組み立て時あるいはサービス時にこれらの接続線が不適切に接続されたりあるいは短絡した場合には、３個全ての陰極線管が損傷を受ける可能性がある。
【０００５】
陰極線管は投射型テレビジョン装置の素子の中では比較的高価なものの一つであり、且つ、陰極線管を取り替えることはかなりの修理労力を要する。陰極線管スクリーンが損傷するのを防ぐため、適切な方法で電子ビーム偏向の消失あるいは減少を感知して即時にそれに応動する保護対策を講じること、例えば、スクリーンが損傷する前に偏向が消失あるいは減少したことにより集中した電子ビームを素早く消去することによってスクリーンを保護することが重要である。
【０００６】
【従来の技術】
フーバー（Ｈｏｏｖｅｒ）氏の米国特許第４６４２５３２号には、水平及び垂直偏向電流を表わす信号を感知する投射型テレビジョン偏向消失保護回路が開示されている。水平あるいは垂直偏向電流が消失した場合、信号が発生して陰極線管駆動回路を消勢して表示消去を行う。
【０００７】
１９９０年４月３０日付で「陰極線管保護回路」という名称で出願されたジョージ（Ｇｅｏｒｇｅ）氏の米国特許出願第５１５５１３号には、垂直トレースキャパシタ（Ｓ字キャパシタ）の両端間の電圧が、垂直偏向電流の消失を検出する比較器に供給される形式の走査消失保護装置が開示されている。このトレースキャパシタは、垂直偏向コイルに直列に接続されている。偏向コイルを流れる電流は、実質的に鋸歯状波である。トレースキャパシタの両端間の電圧は、垂直走査周波数で放物線を描く電圧である。この放物線状電圧は、整流器に交流結合され、この整流器の出力が別のキャパシタを充電して電圧比較器の入力を決定する。垂直偏向電流が消失すると、上記別のキャパシタは、Ｒ−Ｃ時定数を決定する並列抵抗を介して放電し、比較器への信号入力が基準レベル以下に低下して、表示消去が行われる。
【０００８】
【発明が解決しようとする課題】
比較器の信号入力は、上記キャパシタが各垂直偏向周期で僅かに放電し次いで充電される結果として、垂直走査周波数の成分と直流オフセット値すなわち直流平均値とを持っている。走査消失保護回路を誤ってトリガすることがないように、直流レベルである比較器の基準レベルは、比較器に供給される信号入力の通常の最小レベルよりも充分に低いレベルに設定するのが望ましい。特に、通常の最小レベルよりも保護バンドすなわちノイズマージンを明確に特定する量だけ下回るように閾値を設定することが望ましい。保護バンドは、比較器に供給される入力信号に含まれるノイズのような通常の変動や、偏向信号のピーク振幅の公称値からの変動、偏向周期の一部の期間中のキャパシタの電圧低下によって走査消失保護回路がトリガされるのを防止するのに充分な幅を持っていることが望ましい。走査消失が生じると、キャパシタは、各周期の開始時におけるその最大電圧から放電し、通常の動作範囲を経て、さらに保護バンドを経て比較器の閾値に達する。走査消失検出器の応動期間は、偏向電流が消失してから陰極線管が消去される時までに限定される。この応動期間は、Ｒ−Ｃ時定数、信号電圧レベル、および信号電圧レベルと閾値との差によって決まる。
【０００９】
【課題を解決するための手段】
本発明の特徴によれば、上記の形式の走査消失検出器の応動時間を短縮するために、偏向信号源と比較器に関連する蓄積キャパシタとの間に能動増幅器が挿入されている。トレースあるいはＳ成形キャパシタの両端間の電圧のようなパラボラ信号は増幅器で増幅され、各走査期間の部分の期間中、キャパシタの両端間に発生する電圧レベルを上昇させる。このキャパシタは各走査期間の他の部分の期間中に並列抵抗を経て放電する。
【００１０】
【作用】
垂直走査が続く限り、キャパシタの電圧は各垂直偏向サイクルの対応する部分に於いて交互に上昇、低下するが、比較器によって検出される閾値レベル以上のレベルに留まっている。走査が消失すると、キャパシタは放電し、キャパシタの電圧は保護バンドを経由して閾値以下に低下し、比較器は映像管駆動装置のブランキングをトリガする。
【００１１】
好ましくは電流パルス発生器である能動増幅器は、例えば正電圧源とキャパシタとの間に接続されており、トレースキャパシタから引き出されたパラボラ信号の電圧の負ピークに応答する。増幅器は単に偏向信号を整流することによって得られる電圧よりも高い電圧をキャパシタ中に生成する。より高いキャパシタ電圧を生成することによってより短い時定数を採用することができ、その結果各偏向サイクルにおける通常の最低動作キャパシタ電圧と閾値との間で該キャパシタを保護バンドを経由してより急速に放電させることができる。キャパシタ電圧のピークレベルは偏向信号の振幅に伴って大きくは変化しない利点があり、応答時間を偏向信号の振幅にそれほど依存しないようにすることができる。
【００１２】
本発明を実施したビデオ表示装置は、排気されたガラス外囲器をもった陰極線管を含んでいる。外囲器の一方の端部には表示スクリーンが形成されており、上記外囲器の他方の端部には電子銃構体が配置されている。電子銃構体はスクリーン上の電子ビーム到達位置にラスタを形成する電子ビームを発生する。陰極線管上に配置された偏向巻線中に偏向電流を発生させ、電子ビームのビーム経路に偏向磁界を発生させる。偏向信号は偏向電流の振幅に関連する振幅を持って発生される。比較器は第２の信号に応答して、走査消失状態になったときにビーム電流を消去するために陰極線管の電極に供給される出力信号を発生する。能動増幅器は偏向信号に応答する入力を有し、増幅器の入力に発生する信号を増幅することによって第２の信号を発生する。
【００１３】
【実施例】
図１および図３を参照すると、テレビジョン受像機のような投射形のビデオ表示装置は３個の単色ＣＲＴ、すなわち陰極線管１０、１１、１２を具備している。陰極線管１０は赤の映像を生成し、陰極線管１１は緑の映像を生成し、陰極線管１２は青の映像を生成する。これら３個の映像は光学システム（図示せず）によって観察スクリーン上で合成され、そこで複合カラー映像として視聴者によって観察される。
【００１４】
垂直偏向巻線１４、１５、１６は垂直偏向駆動回路１３の出力端子１３ａと端子１３ｂとの間に直列に接続されている。直流阻止キャパシタＣＶ  と電流サンプリング抵抗ＲＳ  とが端子１３ａとアースとの間に偏向巻線１４、１５、１６と直列に接続されている。垂直偏向駆動回路１３はキャパシタＣＶ  に流れ込む鋸歯状垂直偏向電流を発生し、端子１３ｂに垂直周波数の信号Ｖ１  を発生させる。正規の動作期間中は垂直周波数信号Ｖ１  はパラボラ電圧成分を含んでいる。例えば、偏向巻線１４、１５、１６のいずれか１つが開路したり、端子１３ａ、１３ｂに沿う接続あるいは中間接続の１つが無くなる等、垂直偏向が消失が生ずると、パラボラ信号Ｖ１  は発生しない。
【００１５】
出力段（図示せず）は、水平偏向巻線２０、２１、２２を介して線周波数で水平走査回路を駆動する。水平出力段はフライバック変成器すなわち高電圧変成器（図示せず）を具備し、その２次巻線は陰極線管１０、１１、１２の陰極を駆動するために直流結合された約＋２２５Ｖの直流電源を含む各種の負荷回路用の電源として作用する。
【００１６】
約２．５Ｖのピーク−ピーク値をもった垂直パラボラ信号Ｖ１  は直列抵抗Ｒ５と並列キャパシタＣ３とによって僅かに積分されて、キャパシタＣ４を経てＰＮＰトランジスタＱ１を含む本発明を実施した増幅器に交流的に結合される。トランジスタＱ１のベースには直列抵抗Ｒ６を経て信号が供給され、またトランジスタＱ１のベースは正直流電圧＋Ｖ、例えば＋１５Ｖの直流電圧に関してバイアスされている。ダイオードＤ２はパラボラ信号を正電源電圧＋Ｖにクランプし、またパラボラ信号が正期間中はトランジスタＱ１は導通しない。ＰＮＰトランジスタＱ１のエミッタは正電源＋Ｖに結合されている。パラボラ信号の負のチップ期間中、すなわち垂直リトレースの近傍の走査の端部における狭いパルス期間中は、トランジスタＱ１は導通して正電源からキャパシタＣ５を充電する。
【００１７】
図４にトランジスタＱ１を流れる電流、キャパシタＣ５の両端間に発生する電圧がそれぞれＩ、Ｖ２  として示されている。図１、図４で同じ符号、数字は同じ項目、同じ機能を表わす。
【００１８】
図１のトランジスタＱ１を通ってパルス状電流が流れている期間中は、キャパシタＣ５の両端間に現れる図４の電圧Ｖ２  のピーク値はほぼ正電源電圧＋Ｖのレベルにまで上昇する。所定の電流パルスに続く期間中は、図１のキャパシタＣ５の両端間の電圧Ｖ２  は並列抵抗Ｒ８を経て放電される。キャパシタＣ５の両端間の電圧Ｖ２  は演算増幅器Ｕ２を含む電圧比較器の一方の入力に供給され、比較器の他方の入力には該比較器の閾値を設定するための基準電圧ＶＲＥＦ  が供給される。図１の実施例では、基準電圧ＶＲＥＦ  は抵抗Ｒ９を経て正電源に結合され、且つ並列キャパシタＣ６に接続された逆バイアスされたツエナーダイオードＤ３によって設定される。電源電圧が＋１５Ｖのときは、基準電圧ＶＲＥＦ  は約１０．５Ｖに設定される。
【００１９】
正規の垂直走査が継続している限り、トランジスタＱ１からの新しいパルスパルスは、キャパシタＣ５が比較器Ｕ２の閾値にまで放電する前にキャパシタＣ５を再充電する。何らかの欠陥が発生してトレースキャパシタＣＶ  からの交流入力が途絶えて新しいパルス電流が供給されず、キャパシタＣ５の電圧Ｖ２  が基準電圧以下に低下すると、比較器の出力の状態は変化し、トランジスタＱ２を経て垂直走査消失信号ＶＥＲＴ  ＳＣＡＮ  ＬＯＳＳが発生する。トランジスタＱ２のベースは直列抵抗Ｒ１１を経て比較器Ｕ２の出力およびバイアス抵抗Ｒ１０に結合されている。比較器Ｕ２の出力が低レベルに低下すると（すなわち、演算増幅器で構成された比較器Ｕ２の反転入力に供給された基準電圧ＶＲＥＦ  が非反転入力に供給されたキャパシタＣ５の両端間の電圧Ｖ２  よりも高くなると）、ＰＮＰトランジスタＱ２は導通する。トランジスタＱ２はエミッタフォロワ増幅器として構成されており、該トランジスタＱ２のエミッタの出力は抵抗Ｒ１２およびキャパシタＣ７を経て正電源端子に結合されており、コレクタは抵抗Ｒ１３を経てアースに結合されている。正規の動作期間中は、トランジスタＱ２のエミッタの出力は約＋１２Ｖで、走査が消失すると出力は０になる。
【００２０】
トランジスタＱ２から供給される走査消失信号ＶＥＲＴ  ＳＣＡＮ  ＬＯＳＳは図３または図５に示すように、電子ビーム電流の発生を停止させることによって表示を消去するための回路に供給される。図１と図３乃至図５において、同じ項目、同じ機能には同じ符号あるいは同じ数字が使用されている。
【００２１】
再び図３を参照すると、アンテナあるいは幾つかの他の信号源からの受信ビデオ信号を復号（デコード）し、増幅するビデオ処理／増幅器１９の出力に応答して、通常、ビーム電流は陰極線管駆動回路２３によって発生される。ビデオ処理／増幅器１９の出力は、例えば、陰極線管駆動回路２３およびトランジスタＱ４を経て陰極線管の陰極電流を可制御的に流通させる。各陰極線管１０、１１、１２には各別の陰極線管駆動回路２３およびトランジスタＱ４が設けられており、図ではこれらのうちの１個だけが示されている。
【００２２】
３個の陰極線管駆動回路はそれぞれスイッチングトランジスタＱ３を経て対応するトランジスタＱ４に結合されている。トランジスタＱ３とＱ４はカスケード増幅器を構成している。各陰極線管に対するトランジスタＱ３のベースには抵抗Ｒ１６、Ｒ１５、Ｒ１４のいずれか１つを通じて走査消失信号ＶＥＲＴ  ＳＣＡＮ  ＬＯＳＳが供給される。トランジスタＱ３が導通すると（すなわち、Ｑ３のベースに走査消失を表わす低レベルが存在しないとき）、ビデオ処理／増幅器１９によって発生され、各トランジスタＱ４のベースに供給されるビデオ信号ＶＲ、ＶＧ、ＶＢは適当な陰極線管駆動回路に供給されて、陰極線管の陰極に電子ビーム電流を流通させる。
【００２３】
図５はトランジスタＱ４、Ｑ３を通じてビデオ処理／増幅器１９によって駆動される一般的な出力陰極線管駆動回路２３をより詳細に示した図である。前にも述べたように、図１および図３乃至５において、同じ符号、同じ数字は同じ項目、同じ機能を示すものとする。図５の陰極線管駆動回路２３はインダクタＬ１、ダイオードＤ４、インダクタＬ２、抵抗Ｒ１９および抵抗Ｒ１８によって構成された直列回路を含んでいる。この直列回路はトランジスタＱ３のコレクタにおけるコレクタ負荷を形成し、またトランジスタＱ３を経てトランジスタＱ４のコレクタにおけるコレクタ負荷となっている。トランジスタＱ３が導通すると、高レベルの増幅されたビデオ信号がトランジスタＱ３のコレクタに発生する。陰極線管駆動回路の出力には、Ｂ級増幅器を構成する反対導電形式のエミッタフォロワ・トランジスタＱ５とＱ６とが設けられている。これらのトランジスタＱ５、Ｑ６のベース入力はダイオードＤ４の両端間に接続されており、さらにトランジスタＱ３のコレクタに結合されている。トランジスタＱ５のエミッタ出力はトランジスタＱ６のエミッタ出力に接続されている。高レベルの増幅されたビデオ信号は、陰極線管駆動回路の出力端子に対応するＰＮＰフォロワ・トランジスタＱ６あるいはＮＰＮフォロワ・トランジスタＱ５のエミッタ出力から陰極線管アーク電流制限抵抗Ｒ２４と、抵抗Ｒ２３とインダクタＬ３とを含むピーキング回路とを経て映像再生用陰極線管すなわち陰極線管１０の陰極に供給される。トランジスタＱ６のコレクタに接続されたコレクタ抵抗Ｒ２２は陰極線管アーク電流制限抵抗として作用する。
【００２４】
約＋２２５Ｖの陰極線管用電源電圧は抵抗Ｒ１７およびＲ２０を経てトランジスタＱ５のコレクタに供給され、また抵抗Ｒ１７、Ｒ１８、Ｒ１９を含む直列回路に供給される。濾波キャパシタＣ８は抵抗Ｒ１７とＲ１８との接続点に結合されている。
【００２５】
使用者が例えば主電源電圧を切ることによってテレビジョン受像機への電源をターンオフすると偏向が消失し、信号ＶＥＲＴ  ＳＣＡＮ  ＬＯＳＳ信号は０Ｖ近くに低下する。従って、トランジスタＱ３は非導通状態になる。例えば、受像機の濾波キャパシタに蓄積された電荷によって供給される陰極線管用電源電圧が正電圧にあると、陰極線管のカソード電圧は正電圧に留まっている。陰極線管の制御グリッド電圧はより低いレベルの正電圧に維持されることがあり、このカソード電圧と制御グリッド電圧との差電圧によってビーム電流が実質的に０になるビーム電流カットオフ状態にする。このようにして、アルタ電圧（第２陽極電圧）が、ビーム電流を発生させ得る程に充分高くても陰極線管１０の蛍光体スクリーンが損傷を受けるのを防止することができる。
【００２６】
テレビジョン受像機の電源をターンオンしたときに走査が消失しても、あるいはテレビジョン受像機への電源電圧をターンオフして陰極線管の電源電圧は低下するがアルタ電圧は高電圧に留まっているときに走査が消失しても、トランジスタＱ３、Ｑ６は共に非導通状態にあって、ビーム電流の発生を停止させる。通常のグリッドバイアス回路およびカットオフ回路（図示せず）を走査消失回路に付加して動作する冗長手段として設けてもよい。
【００２７】
図３にＯＲゲートＵ３によって概略的に示すように、走査消失信号は垂直走査回路、水平走査回路のいずれか一方あるいは双方の偏向欠陥が生じた場合に発生される。垂直走査消失信号の発生についてのみ詳細に説明したが、水平走査が消失した場合も水平走査消失信号ＨＯＲ  ＳＣＡＮ  ＬＯＳＳを発生させることができる。
【００２８】
本発明の特徴によれば、垂直トレースの殆どの期間中放電する図１の積分キャパシタＣ５の両端間に発生する図４の電圧Ｖ２  のピーク電圧レベルは入力信号Ｖ１  の振幅よりも相当に高い。図１の実施例では、キャパシタＣ５の両端間の電圧Ｖ２  のピークレベルは電源電圧＋Ｖにほぼ等しく、またキャパシタは垂直リトレースの近傍においてパラボラ信号の最小ピーク期間中、電源電圧に充電されるので入力パラボラに関連している。キャパシタＣ５の両端間のこの大きな電圧を供給することにより、トランジスタＱ１によって得られる電圧増幅の無い場合よりも短い時定数が使用できる。この点について図４を参照して詳細に説明する。
【００２９】
図４に示すように、キャパシタＣ５の両端間の電圧Ｖ２  はその約＋１５Ｖのピーク値から正規の動作における垂直走査期間中、＋１２Ｖの正規の動作最小レベルに向かって減衰する。その減衰率はキャパシタＣ５の値と、並列抵抗Ｒ８によって与えられる抵抗値と、比較器Ｕ２の入力インピーダンス（図示のような演算増幅器形式の比較器の場合、通常大である）とによって特定される。図示の実施例では、時定数τは約６５ミリ秒（２４０ＫΩ×０．２７μＦ＝６４．８ミリ秒）である。＋１０．６Ｖの比較器Ｕ２の閾値レベル２５は電圧信号Ｖ２  の正規の動作最小レベル２４よりも保護バンドを特定する大きさだけ低くなっている。保護バンドは比較器Ｕ２の出力をトリガすることなく正規の動作最小レベル２４に対してある通常の変動を許容するものである。＋１５Ｖの電源電圧に関して云えば、最小動作レベル２４は約＋１２Ｖで、１．４Ｖの保護バンドを設けるために閾値レベルは約１０．６Ｖに設定されている。
【００３０】
走査が消失すると、電圧Ｖ２  はキャパシタＣ５の通常の放電範囲を越えて減衰し、さらに保護バンドを越えて減衰する。保護バンドを越えての減衰は通常の動作時の減衰の継続で、ほぼ同じ特性の変化率をもっている。電圧Ｖ２  のピーク値と電圧ＶＲＥＦ  との間の差がかなり小さいときは、ほぼ同じ期間中により低い差電圧から放電するため、減衰の傾斜もまた相当に小さくならざるを得ない。このため、走査が消失した後は、保護バンドを通過して閾値レベルの電圧ＶＲＥＦ  に至る電圧の減衰はより長くなる。従って、増幅器で信号Ｖ１  を増幅することによって生成された差電圧がより高くなると、より短い時定数を使用することができ、減衰の傾斜がより急峻になり、走査消失の検出がより迅速に行われるという利点がある。
【００３１】
図２は本発明の第２の実施例を示す。図１乃至図５において、同じ符号、同じ数字は同じ項目、同じ機能を表わす。図２を参照すると、走査の消失時に蛍光体が損傷を受けるのを防止するために、ＡＣ偏向信号のパラボラ電圧Ｖ１  ′は能動増幅器Ｕ１に供給される。増幅器Ｕ１は正利得、すなわち増幅作用を持っている。増幅器Ｕ１の出力における大きな利得の信号はピーク検波ダイオードＤ１によって整流されて、積分キャパシタＣ５′に供給される。キャパシタＣ５′の電圧レベルは閾値電圧ＶＲＥＦ  ′と比較される。キャパシタＣ５′は並列抵抗Ｒ８′に接続されており、該並列抵抗Ｒ８′はキャパシタＣ５′を全期間を通じて放電させる。偏向が存在することを表わすＡＣ信号が存在する限り、キャパシタＣ５′の両端間の電圧Ｖ２  ′は比較器Ｕ２′の閾値レベル以上に留まっている。ＡＣ信号が消去すると、キャパシタＣ５′は並列抵抗Ｒ８′を通って放電する。キャパシタＣ５′と並列抵抗Ｒ８′とによって決定される時定数は、走査が消失すると、陰極線管１０、１１、１２のスクリーン上の蛍光体が焼損する前にキャパシタＣ５′の両端間の電圧Ｖ２  ′が閾値以下に低下するように充分短く設定されている。正規の動作期間中はキャパシタＣ５′は閾値以下に放電することがないように、上記時定数は充分長くなるように設定されている。比較器Ｕ２′の出力は、前に説明したように、陰極線管駆動回路を経て陰極線管のカソードに電流を供給したり、供給を停止したりする。
【００３２】
【発明の効果】
以上説明したように、陰極線管用走査消失装置を備えた本発明のビデオ表示装置はによれば、偏向が消失するとそれを検出して陰極線管の駆動を停止するから、偏向消失時にスクリーン上の蛍光体が電子ビームに叩かれて焼損するのを効果的に防止することができる。
【図面の簡単な説明】
【図１】本発明のビデオ表示装置で使用される垂直走査消失検出装置の第１の実施例をブロックと回路図の形で示す図である。
【図２】本発明のビデオ表示装置で使用される垂直走査消失検出装置の第２の実施例をブロックと回路図の形で示す図である。
【図３】垂直走査の消失検出時にビデオ表示装置の駆動回路の動作を停止させるために図１または図２の垂直走査消失検出装置を適用した例を示す図である。
【図４】図３に従って本発明のビデオ表示装置で使用される走査消失検出装置の動作を説明するためのタイミング図である。
【図５】本発明にビデオ表示装置で使用される走査消失検出装置を陰極線管駆動回路に結合する態様を示す概略回路図である。
【符号の説明】
１０  陰極線管
１１  陰極線管
１２  陰極線管
１３  陰極線管駆動回路
１４  偏向巻線
１５  偏向巻線
１６  偏向巻線
ＣＶ  トレースキャパシタ
ＲＳ    抵抗
Ｕ２  比較器
Ｑ１  トランジスタ
Ｒ６  抵抗
Ｒ８  抵抗
Ｄ２  ダイオード
【図１】
0003630698.tif 000002
【図２】
0003630698.tif 000003
【図３】
0003630698.tif 000004
【図４】
0003630698.tif 000005
【図５】
0003630698.tif 000006